(57)【要約】【課題】この発明は、軽量化の促進を図ったうえで、高強度化の促進を図り得、且つ、簡便にして容易に高精度な剛性バランスを実現し得るようにすることにある。【解決手段】中実部１０と中空部１５とを、その結合部位にパイプ部材１１を介在して連結形成するように構成し、初期の目的を達成したものである。【選択図】      図１
2005278551.tif 000002
【特許請求の範囲】
【請求項１】
中実部の元端に同軸的に設けられるパイプ部材と、
一端部が前記パイプ部材及び前記中実部の元端部上に被着された前記中実部に連結形成される中空部と、
を具備することを特徴とする釣竿用穂先。
【請求項２】
前記パイプ部材は、前記中実部と別体に形成されることを特徴とする請求項１記載の釣竿用穂先。
【請求項３】
パイプ部材の一端部に芯金の先端を引き抜き可能に内挿し、前記パイプ部材及び芯金上にプリプレグを巻回して第１のプリプレグ層を形成する第１の工程と、
前記パイプ部材の他端部に中実部の元端に形成した小径部を接合し、前記中実部の元端部から前記第１のプリプレグ層上にプリプレグを巻回して少なくとも一層の第２のプリプレグ層を積層した中空部を前記中実部に連結形成する第２の工程と、
を具備することを特徴とする釣竿用穂先の製造方法。
【請求項４】
中実部の元端に小径部を突設形成し、この中実部の小径部をパイプ部材の一端部に内挿する第１の工程と、
前記パイプ部材の他端に芯金の先端を内挿し、前記中実部の元端部から前記パイプ部材上にプリプレグを巻回して第１のプリプレグ層を形成し、この第１のプリプレグ層上にプリプレグを巻回して少なくとも一層の第２のプリプレグ層を積層した中空部を前記中実部に連結形成する第２の工程と、
を具備することを特徴とする釣竿用穂先の製造方法。
【請求項５】
中実部の元端にパイプ部材を同軸的に形成し、この中実部のパイプ部材に芯金の先端を引き抜き可能に内挿する第１の工程と、
前記中実部の元端部からパイプ部材及び芯金上にプリプレグを巻回して少なくとも一層のプリプレグ層を被着した中空部を前記中実部に連結形成する第２の工程と、
を具備することを特徴とする釣竿用穂先の製造方法。
【発明の詳細な説明】
【技術分野】
【０００１】
この発明は、魚釣用釣竿に係り、特に、その穂先及びその製造方法に関する。
【背景技術】
【０００２】
一般に、釣竿用穂先は、その先側における調子が柔らかく、しかも大きな撓みに対応可能な剛性を有し、その元側においては、調子が硬く、軽量であることが要求される。そのため、このような釣竿用穂先は、先側に中実部である中実杆を配し、この中実杆の元側に中空部である中空竿管を連結した竿管構造のものが用いられている。
【０００３】
ところで、このような釣竿用穂先としては、中実杆と中空竿管を別体で形成して、それぞれに切削加工等による削り出し等により結合部を形成して、相互の結合部を接着して連結し、その後、接着部位に糸巻き・糸止めを施して所望の強度に形成するようにしたものがある（例えば、特許文献１参照。）。
【０００４】
ところが、上記釣竿用穂先では、その構造上、中実杆の材料により、調子が定められるために、中空杆との間における剛性の連続性を出すのが困難であるという問題を有する。また、これによれば、中実杆と中空竿管との連結部位の強度を確保するために糸巻き・糸止め工程が必要となることで、その製作性が劣るという問題を有する。
【０００５】
そこで、中実杆の元端に補強部材を形成して、この補給部材に芯金を対向配置し、中実杆の元端部から芯金上にプリプレグを巻き付けて穂先を形成するようにして、剛性バランスを実現したうえで、糸巻き・糸止め作業を行うことなく連結部位の強度を得るように構成したものが提案されている。
【特許文献１】実開昭６０―１８０４８号公報
【特許文献２】特開平８―２８９７０１号公報
【発明の開示】
【発明が解決しようとする課題】
【０００６】
しかしながら、上記釣竿用穂先では、中実杆の補強部材に芯金を対向配置した状態でプリプレグを巻き付けることとなるために、その位置合わせが面倒であるという問題を有する。
【０００７】
この発明は、上記の事情に鑑みてなされたもので、軽量化の促進を図ったうえで、高強度化の促進を図り得、且つ、簡便にして容易に高精度な剛性バランスを実現し得るようにした釣竿用穂先及びその製造方法を提供することを目的とする。
【課題を解決するための手段】
【０００８】
この発明は、中実部の元端に同軸的に設けられるパイプ部材と、一端部が前記パイプ部材及び前記中実部の元端部上に被着された前記中実部に連結形成される中空部とを備えて釣竿用穂先を構成した。
【０００９】
上記構成によれば、中実部は、そのパイプ部材に対して芯金が挿入されると、該芯金がパイプ部材を介して位置決めされ、この状態で、これら中実部の一端部、パイプ部材及び芯金上にプリプレグを巻回し、その後、芯金をパイプ部材及び中空部から引き抜くことにより、中空部がパイプ部材を介して連結形成される。これにより、軽量化を確保したうえで、中実部と中空部との連結部位に捩れの発生しない、高強度な結合が簡便にして容易に実現されると共に、全体としての剛性バランスの調整が容易に実現される。
【００１０】
また、この発明の釣竿用穂先の製造方法は、パイプ部材の一端部に芯金の先端を引き抜き可能に内挿し、前記パイプ部材及び芯金上にプリプレグを巻回して第１のプリプレグ層を形成する第１の工程と、前記パイプ部材の他端部に中実部の元端に形成した小径部を接合し、前記中実部の元端部から前記第１のプリプレグ層上にプリプレグを巻回して少なくとも一層の第２のプリプレグ層を積層した中空部を前記中実部に連結形成するて第２の工程とを備えて構成した。
【００１１】
上記構成によれば、パイプ部材の一端部に芯金の先端部を内挿することにより、該芯金が中実部に対してパイプ部材を介して位置決めされ、この状態で、これらパイプ部材及び芯金上にプリプレグを巻回して第１のプリプレグ層を形成し、その後、パイプ部材の他端部に中実部の小径部を接合し、中実部の元端部から第１のプリプレグ層上にプリプレグを巻回して第２のプリプレグ層を積層した中空部を、中実部に連結形成する。これにより、軽量化を確保したうえで、中実部と中空部との連結部位に捩れが発生することなく、高強度な結合が実現されると共に、全体としての剛性バランスの調整が実現される釣竿用穂先を、簡便にして容易に製作することが可能となる。
【００１２】
また、この発明の釣竿用穂先の製造方法は、中実部の元端に小径部を突設形成し、この中実部の小径部をパイプ部材の一端部に内挿する第１の工程と、前記パイプ部材の他端に芯金の先端を内挿し、前記中実部の元端部から前記パイプ部材上にプリプレグを巻回して第１のプリプレグ層を形成し、この第１のプリプレグ層上にプリプレグを巻回して少なくとも一層の第２のプリプレグ層を積層した中空部を前記中実部に連結形成する第２の工程とを備えて構成した。
【００１３】
上記構成によれば、中実部の小径部をパイプ部材の一端部に内挿し、このパイプ部材の他端部に芯金の先端を内挿することにより、中実部と芯金がパイプ部材を介して位置決めされ、この状態で、これら中実部の元端部近傍からパイプ部材上にプリプレグを巻回して第１のプリプレグ層を形成し、その後、中実部の元端部から第１のプリプレグ層上にプリプレグを巻回して第２のプリプレグ層を積層した中空部を、中実部に連結形成する。これにより、軽量化を確保したうえで、中実部と中空部との連結部位に捩れが発生することなく、高強度な結合が実現されると共に、全体としての剛性バランスの調整が実現される釣竿用穂先を、簡便にして容易に製作することが可能となる。
【００１４】
また、この発明の釣竿用穂先の製造方法は、中実部の元端にパイプ部材を同軸的に形成し、この中実部のパイプ部材に芯金の先端を引き抜き可能に内挿する第１の工程と、前記中実部の元端部からパイプ部材及び芯金上にプリプレグを巻回してプリプレグ層を被着した中空部を前記中実部に連結形成する第２の工程とを備えて構成した。
【００１５】
上記構成によれば、中実部のパイプ部材に芯金の先端を内挿することにより、中実部と芯金がパイプ部材を介して位置決めされ、この状態で、これら中実部の元端部近傍からパイプ部材、芯金上にプリプレグを巻回して少なくとも一層のプリプレグ層を被着して中空部を、中実部に連結形成する。これにより、軽量化を確保したうえで、中実部と中空部との連結部位に捩れが発生することなく、高強度な結合が実現されると共に、全体としての剛性バランスの調整が実現される釣竿用穂先を、簡便にして容易に製作することが可能となる。
【発明の効果】
【００１６】
この発明によれば、軽量化の促進を図ったうえで、高強度化の促進を図り得、且つ、簡便にして容易に高精度な剛性バランスを実現し得るようにした釣竿用穂先及びその製造方法を提供することができる。
【発明を実施するための最良の形態】
【００１７】
以下、この発明の実施の形態について、図面を参照して詳細に説明する。
【００１８】
図１は、この発明の一実施の形態に係る釣竿用穂先を示すもので、中実部１０は、その先端方向が先細りに形成される。そして、この中実部１０の元端部には、小径部１０１が同軸的に突出されて形成される（図２参照）。この中実部１０は、例えばＮＴ合金等の金属材料、炭素繊維、ガラス繊維、アラミド繊維等の材料を金型等を用いて形成される。ここで、中実部１０は、その小径部１０１の先端が元端となる。
【００１９】
上記中実部１０の小径部１０１は、パイプ部材１１の一端部に内挿される。このパイプ部材１１は、ステンレス、ＮＴ合金、アルミニウム、真鍮、チタン、マグネシウム等の金属材料やカーボン繊維、ガラス繊維、アラミド繊維等の強化繊維等の材料を用いてパイプ状の所望の寸法に形成され（図３参照）、その一端部に上記中実部１０の小径部１０１が内挿されて接着等により接合される。
【００２０】
また、パイプ部材１１は、その他端部にマンドレルと称する芯金１２に設けた嵌合部１２１が離形剤及び樹脂材料を用いて引き抜き可能に内挿される。この芯金１２は、先端部がパイプ部材１１の外径と略同寸法に形成され、その先端に上記嵌合部１２１がパイプ部材１１の内径部位に内挿可能に形成される。これにより、芯金１２は、その嵌合部１２１が、パイプ部材１１に内挿された状態で、その外周壁がパイプ部材１１の外径と略面一となる。そして、パイプ部材１１は、その一端部に中実部１０の小径部１０１が内挿されると共に、その他端部に芯金１２の嵌合部１２１が内挿されると、これら中実部１０と芯金１２との相互間を直線状に位置決めする。
【００２１】
ここで、パイプ部材１１の一端部から芯金１２上には、強化繊維プリプレグである第１のプリプレグ１３１が巻回された第１のプリプレグ層１３が形成される（図４参照）。この際、中実部１０の元端部と略面一となるような状態に巻回する。そして、中実部１０の元端部にオーバラップする一端部から上記第１のプリプレグ層１３上には、強化繊維プリプレグである第２のプリプレグ１４１を、例えば階段状に巻回した第２のプリプレグ層１４が積層形成されて中空部１５が連結形成される。
【００２２】
上記第１及び第２のプリプレグ１３１、１４１を形成する強化繊維プリプレグは、例えば炭素繊維、ガラス繊維、アラミド繊維等の強化繊維にエポキシ樹脂、ポリエステル樹脂、フェノール樹脂等の樹脂が含浸されて形成される。
【００２３】
上記構成において、パイプ部材１１の一端部には、芯金１２の嵌合部１２１が、例えば離形剤と樹脂が塗布されて引き抜き可能に挿入されて仮止めされ、この状態で、パイプ部材１１及び芯金１２上に第１のプリプレグ１３１が巻回されて第１のプリプレグ層１３が形成される。
【００２４】
次に、第１のプリプレグ層１３が形成されたパイプ部材１１の他端部には、中実部１０に設けた小径部１０１が、例えば接着剤を用いたり、樹脂を使って熱硬化させることで接合される。ここで、中実部１０は、パイプ部材１１を介して芯金１２と位置決めされ、その元端部近傍からパイプ部材１１及び芯金１２上の第１のプリプレグ層１３上にわたって第２のプリプレグ１４１が、例えば階段状に巻回されて第２のプリプレグ層１４が積層される。この状態で、第２のプリプレグ層１４上には、テーピングが施されて焼結処理される。これにより、中実部１０及び中空部１５は、捩れたりすること無く、略直線状に連結形成される。その後、芯金１２が、パイプ部材１１及び中空部１５から引き抜かれて製作作業が完了される。
【００２５】
上記釣竿用穂先は、中実部１０と中空部１５とを、その結合部位にパイプ部材１１を介在して連結形成するように構成した。これによれば、中実部１０と中空部１５との間に介在したパイプ部材１１により、中実部１０の軽量化を図ったうえで、その連結部位における捩れの発生が防止されると共に、その強度が高められる。
【００２６】
また、これによれば、パイプ部材１１により、プリプレグの均一な巻回が可能となり、又、従来のような糸巻き・糸止めを連結部位に施すことなく、所望の強度を確保することが可能となることにより、細身を実現したうえで、高精度な剛性バランスを容易に実現することが可能となる。さらに、移動ガイドを所望の位置に配置することも可能となる。
【００２７】
また、上記釣竿用穂先の製造方法は、中実部１０の元端の小径部１０１をパイプ部材１１の一端部に内挿した状態で、該パイプ部材１１の他端に芯金１２を挿入することにより、該芯金１２が中実部１０に対してパイプ部材１１を介して位置決めされ、この状態で、これら中実部１０の一端部、パイプ部材１１及び芯金１２上に第２のプリプレグ１４１を巻回して中空部１５が連結形成され、その後、芯金１２がパイプ部材１１及び中空部１５から引く抜くように構成した。これによれば、軽量化を確保したうえで、中実部１０と中空部１５との連結部位に捩れが発生することなく、高強度な結合が可能であると共に、全体としての剛性バランスの調整が可能な釣竿用穂先を、簡便にして容易に製作することが可能となる。
【００２８】
また、この発明は、上記実施の形態に限ることなく、例えば図５に示すように構成しても、略同様の効果が期待される。但し、図５においては、上記図１乃至図４と同一部分については、同一符号を付してその説明を省略する。
【００２９】
即ち、この図５に示す実施の形態では、中実部１０の元端に小径部１０１を突設形成し、この中実部１０の小径部１０１をパイプ部材１６の一端部に内挿し、このパイプ部材１６の他端部に芯金１２の先端の嵌合部１２１を内挿し、中実部１０の元端部からパイプ部材１６上に第１のプリプレグ１７１を巻回して第１のプリプレグ層１７を形成し、この第１のプリプレグ層１７上に第２のプリプレグ１８１を巻回して第２のプリプレグ層１８を積層した中空部１９を上記中実部１０に連結形成する。この場合、パイプ部材１６は、その外径が中実部１０の最大径と略同形状に形成されるものが用いられる。
【００３０】
なお、上記各実施の形態では、第１のプリプレグ層１３，１７上に第２のプリプレグ層１４，１８を一層積層形成するように構成した場合で説明したが、これに限ることなく、複数層を積層形成するように構成することも可能である。
【００３１】
また、上記各実施の形態では、中実部１０と中空部１９とを、パイプ部材１６を介在して連結形成するよう構成した場合で説明したが、これに限ることなく、その他、例えば中実部の元端にパイプ状のパイプ部材を同軸的に一体的に形成し、このパイプ部材に芯金の先端に形成した嵌合部を引き抜き可能に内挿して、中実部の元端に結合部を介在して中空部を連結形成するように構成することも可能で、略同様の効果が期待される。
【００３２】
この中実部の元端にパイプ部材を一体的に形成するように構成した場合は、例えば中実部の結合部に芯金の先端を引き抜き可能に内挿して仮止して、中実部の元端部からパイプ部材、芯金上に略同様にプリプレグを巻回して少なくとも一層のプリプレグ層を形成し、その後、芯金を引き抜いて中空部を中実部に連結形成する。
【００３３】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３４】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３５】
【図１】この発明の一実施の形態に係る釣竿用穂先の要部を分解して示した分解図である。
【図２】図１の中実部を取り出して示した断面図である。
【図３】図１のパイプ部材を取り出して示した断面図である。
【図４】図１の釣竿用穂先の製造方法を説明するために示した断面図である。
【図５】この発明の他の実施の形態に係る釣竿用穂先の製造方法を説明するために示した断面図である。
【符号の説明】
【００３６】
１０…中実部、１０１…小径部、１１，１６…パイプ部材、１２…芯金、１２１…嵌合部、１３，１７…第１のプリプレグ層、１３１，１７１…第１のプリプレグ、１４，１８…第２のプリプレグ層、１４１，１８１…第２のプリプレグ、１５，１９…中空部。
【図１】
2005278551.tif 000003
【図２】
2005278551.tif 000004
【図３】
2005278551.tif 000005
【図４】
2005278551.tif 000006
【図５】
2005278551.tif 000007